(57)【要約】      （修正有）【課題】機能性を向上し、非生理期である通常使用時のショーツに対する使用感との相違を小さくするサニタリーショーツを提供する。【解決手段】サニタリーショーツ１０は、伸縮性を有する身生地で構成されたショーツ本体１４と、前身頃部１１の上縁部１１Ｕと後身頃部１２の上縁部１２Ｕとによって形成される腰開口と、前身頃部１１の左縁部１１Ｌ及び右縁部１１Ｒと後身頃部１２の左縁部１２Ｌ及び右縁部１２Ｒとの接合部１９Ｆ、１９Ｂの下にそれぞれ形成する左右一対の脚口と、を有し、股下部１３の少なくとも一部は、肌対向面側から肌対向面と反対側へ向かって、抗菌防臭機能を備えた第１層、吸水速乾機能を備えた第２層、吸水速乾機能を備えた第３層、防水機能を備えた第４層、身生地である第５層、の順に積層したクロッチ部２０を備えており、ショーツ本体１４は縫製部のないシームレス構造として形成される。【選択図】図３
0003234062.tif 000002
【実用新案登録請求の範囲】
【請求項１】
前身頃部、後身頃部、及び、前記前身頃部と前記後身頃部との間に位置する股下部を備え、伸縮性を有する身生地により構成されたショーツ本体と、
前記前身頃部の上縁部と前記後身頃部の上縁部とによって形成される腰開口と、
前記前身頃部の左・右縁部と前記後身頃部の左・右縁部との接合部の下にそれぞれ形成する左・右一対の脚口と、
を有し、
前記股下部の少なくとも一部は、
肌対向面側から前記肌対向面と反対側へ向かって、抗菌防臭機能を備えた第１層、吸水速乾機能を備えた第２層、吸水速乾機能を備えた第３層、防水機能を備えた第４層、前記身生地である第５層、
の順に積層した５層構造によって構成されたクロッチ部を備えており、
前記ショーツ本体は、
縫製部を備えないシームレス構造を有する
ことを特徴とするサニタリーショーツ。
【請求項２】
請求項１記載のサニタリーショーツにおいて、
ポリエステル生地に対して所定の制菌加工を施した素材により形成された前記第１層と、
ポリエステル生地に対して所定の親水性加工剤を塗布した素材により形成され  た前記第２層及び前記第３層と、
ポリエステル生地に対して所定の防水フィルムをラミネート加工した素材により形成された前記第４層と、
を有することを特徴とするサニタリーショーツ。
【請求項３】
請求項２記載のサニタリーショーツにおいて、
前記第２層及び前記第３層のうち一方がリブ編みの層で他方がメッシュ編みの層である２層構造を有する
ことを特徴とするサニタリーショーツ。
【請求項４】
請求項１乃至請求項３のいずれか１項記載のサニタリーショーツにおいて、
前記クロッチ部は、
前記身生地の層として、前記第５層の１層のみを備える
ことを特徴とするサニタリーショーツ。
【請求項５】
請求項２乃至請求項４のいずれか１項記載のサニタリーショーツにおいて、
前記クロッチ部の前側接合部及び後側接合部は、
前記身生地からなる前記ショーツ本体に対して、前記第４層と前記第１層とに同じ長さの前記生地を用い、その間に前記第４層及び前記第１層よりも短い前記第２層及び前記第３層の前記各生地を前記第１層と前記第４層との生地端縁で前記第２層及び前記第３層を包み込むように重ね合わせた状態で前記生地端縁を圧着固定した第１圧着固定部を有する
ことを特徴とするサニタリーショーツ。
【請求項６】
請求項２乃至請求項５のいずれか１項記載のサニタリーショーツにおいて、
前記クロッチ部の右側接合部及び左側接合部は、
前記身生地の前記ショーツ本体の左右下縁部に対して、前記身生地の前記ショーツ本体の左右下縁部と同幅の前記第４層の左右縁部とを２枚重ねで折り返すとともに、前記第４層よりも幅狭の前記生地からなる前記第２層及び前記第３層の２枚重ね左右縁部と前記第４層よりも幅狭の前記生地からなる前記第１層の左右縁部とをそれぞれ包み込むみように重ね合わせた状態で前記生地端縁を圧着固定した第２圧着固定部を有する
ことを特徴とするサニタリーショーツ。
【請求項７】
請求項２乃至請求項６のいずれか１項記載のサニタリーショーツにおいて、
前記ショーツ本体のうち、前記前身頃部の前記上縁部と前記後身頃部の前記上縁部、及び、前記前身頃部の前記右縁部と前記後身頃部の前記右縁部、並びに、前記前身頃部の前記左縁部と前記後身頃部の前記左縁部は、各生地端縁の折り返しによる接合部によって縫製部を備えないシームレス構造を有する
ことを特徴とするサニタリーショーツ。
【考案の詳細な説明】
【技術分野】
【０００１】
本考案は、女性の生理期等に使用されるサニタリーショーツに関する。
【背景技術】
【０００２】
従来、大きな段差を生じることなく着用時に不快感を与えないことを目的として、ショーツ本体のクロッチ部に、吸水性及び防水性を備えた防水布をあてがい、かつ防水布の周囲縁部を熱融着することにより一体に構成したサニタリーショーツが知られている（例えば、特許文献１参照）。
【先行技術文献】
【特許文献】
【０００３】
【特許文献１】実用新案登録３１４３６５１号公報
【考案の概要】
【考案が解決しようとする課題】
【０００４】
近年、女性の生理期にあって、生理用ナプキンを使用する必要のないサニタリーショーツが利用されつつある。
【０００５】
生理用品の消費量を単純に４０年間使用する場合で換算した場合、１回の生理期における使い捨てナプキン約２０〜２５枚（１日４〜５枚×５日間）とすると、枚数では９６００〜１２０００枚、金額では３０万円以上となることから、サニタリーショーツの利用は環境的及び経済的の両面で高い需要がある。
【０００６】
一方、このような生理期に使用されるサニタリーショーツにあっては、非生理期である通常使用時のるショーツとの使用感との相違が少ないこと、抗菌・防臭効果を有していること、経血や尿等に対する漏れ抑制（防水性若しくは速乾性）効果を備えていること、などの利点を有しているのが望ましい。
【０００７】
しかしながら、上述した従来技術にあっては、抗菌・防臭効果や漏れ抑制効果を具備する層を備えておらず、機能性が不十分であるため通常使用時のショーツに対する使用感と相違が大きいという問題が生じていた。
【０００８】
本考案の目的は、機能性を向上し、非生理期である通常使用時のショーツに対する使用感との相違を小さくすることができるサニタリーショーツを提供することにある。
【課題を解決するための手段】
【０００９】
上記目的を達成するために、本願考案は、前身頃部、後身頃部、及び、前記前身頃部と前記後身頃部との間に位置する股下部を備え、伸縮性を有する身生地により構成されたショーツ本体と、前記前身頃部の上縁部と前記後身頃部の上縁部とによって形成される腰開口と、前記前身頃部の左・右縁部と前記後身頃部の左・右縁部との接合部の下にそれぞれ形成する左・右一対の脚口と、を有し、前記股下部の少なくとも一部は、肌対向面側から前記肌対向面と反対側へ向かって、抗菌防臭機能を備えた第１層、吸水速乾機能を備えた第２層、吸水速乾機能を備えた第３層、防水機能を備えた第４層、前記身生地である第５層、の順に積層した５層構造によって構成されたクロッチ部を備えており、前記ショーツ本体は、縫製部を備えないシームレス構造を有する、ものである。
【考案の効果】
【００１０】
本考案によれば、機能性を向上し、非生理期である通常使用時のショーツに対する使用感との相違を小さくすることができる。
【図面の簡単な説明】
【００１１】
【図１】本考案に係るサニタリーショーツを示し、サニタリーショーツの使用状態の斜視図である。
【図２】本考案に係るサニタリーショーツを示し、（Ａ）はサニタリーショーツの正面図、（Ｂ）はサニタリーショーツの背面図である。
【図３】本考案に係るサニタリーショーツを示し、サニタリーショーツの肌対向面側の展開図である。
【図４】本考案に係るサニタリーショーツを示し、積層構造の説明図である。
【図５】本考案に係るサニタリーショーツを示し、（Ａ）は図３のＡ−Ａ線に沿う拡大断面図、（Ｂ）は図２のＢ−Ｂ線に沿う拡大断面図、（Ｃ）は図３のＣ−Ｃ線に沿う拡大断面図、（Ｄ）は図３のＤ−Ｄ線に沿う拡大断面図、である。
【考案を実施するための形態】
【００１２】
以下、本考案の一実施形態を図面を参照して説明する。なお、以下に示すサニタリーショーツ及びクロッチ部の外観形状は、サイズやデザイン等に応じて任意である。また、図５の拡大断面図は、各生地の圧着状態を説明するために模式的に示したものである。
【００１３】
図１に示すように、サニタリーショーツ１０は、着衣状態において、身体Ｐの前面側に位置する前身頃部１１と、身体Ｐの背面側に位置する後身頃部１２と、前身頃部１１と後身頃部１２との間において身体Ｐの股間側に位置する股下部１３と、を備えており、伸縮性を有する１枚の（１層の）身生地からなるショーツ本体１４によって構成されている。
【００１４】
また、ショーツ本体１４は、前身頃部１１の上縁部１１Ｕと後身頃部１２の上縁部１２Ｕとによって身体Ｐの腰廻り（胴廻り）を包囲する腰開口１５と、前身頃部１１の左縁部１１Ｌ及び右縁部１１Ｒと後身頃部１２の左縁部１２Ｌ及び右縁部１２Ｒとの接合部１６Ｌ，１６Ｒの下に左下縁部１７Ｌ及び右下縁部１７Ｒによって身体Ｐの大腿部を包囲する一対の左脚口１８Ｌ及び右脚口１８Ｒと、を有する。
【００１５】
ところで、前身頃部１１、後身頃部１２、股下部１３は、上述したように１層の身生地である１枚のショーツ本体１４によって、身体Ｐの各部位を覆うものであるが、医学的又は一般的な概念としての身体的部位に対応するものではなく、単なる機能的範囲を意味する。
【００１６】
具体的に本実施の形態では、図２及び図３に示すように、前身頃部１１及び後身頃部１２の機能的範囲は、股下部１３の機能的範囲を規定するように配置されたクロッチ部２０に対して、その残余の身生地のうち身体Ｐの前面側を前身頃部１１及び背面側を後身頃部１２としている。
【００１７】
したがって、本実施の形態における機能的範囲としての股下部１３は、略扇形のクロッチ部２０の形状と一致しており、医学的又は一般的な概念としての股下よりも広い範囲、特に、身体Ｐの背面側の臀部の一部から尾てい骨付近を含む広い範囲を含んでいる。
【００１８】
股下部１３に配置したクロッチ部２０は、図４に示すように、紙面上方の肌対向面側（以下、単に「内面」若しくは「内面側」とも称する。）から紙面下方の内面側とは反対側（以下、単に「外面」若しくは「外面側」とも称する。）へ向かって、抗菌防臭機能を備えた第１層２１、吸水速乾機能を備えた第２層２２、吸水速乾機能を備えた第３層２３、防水機能を備えた第４層２４、身生地のみ（１層のみ）の第５層としてのショーツ本体１４の順に積層した５層構造によって構成されている。
【００１９】
ショーツ本体１４のうち、前身頃部１１の上縁部１１Ｕと後身頃部１２の上縁部１２Ｕとは、図５（Ａ）に示すように、各生地端縁の折り返しによる接合部１９Ｆ，１９Ｂによって縫製部を備えないシームレス構造として形成されている。
【００２０】
ショーツ本体１４のうち、前身頃部１１の右縁部１１Ｒと後身頃部１２の右縁部１２Ｒ、及び、前身頃部１１の左縁部１１Ｌと後身頃部１２の左縁部１２Ｌは、図５（Ｂ）に示すように、各生地端縁の折り返しによる接合部１６Ｒ，１６Ｌによって縫製部を備えないシームレス構造として形成されている。
【００２１】
クロッチ部２０の前側接合部２０Ｆ及び後側接合部２０Ｂは、図５（Ｃ）に示すように、身生地からなるショーツ本体１４に対して、第４層２４と第１層２１とに同じ長さの生地を用い、その間に第４層２４及び第１層２１よりも短い第２層２２及び第３層２３の各生地を第１層２１と第４層２４との生地端縁で第２層２２及び第３層２３を包み込むように重ね合わせた状態で生地端縁を圧着固定している。
【００２２】
クロッチ部２０の右側接合部２０Ｒ及び左側接合部２０Ｌは、図５（Ｄ）に示すように、身生地のショーツ本体１４の右下縁部１７Ｒ及び左下縁部１７Ｌに対して、身生地のショーツ本体１４の右下縁部１７Ｒ及び左下縁部１７Ｌと同幅の第４層２４の右縁部２４Ｒ及び左縁部２４Ｌとを２枚重ねで折り返すとともに、第４層２４よりも幅狭の生地からなる第２層２２及び第３層２３の２枚重ねの各右縁部２２Ｒ，２３Ｒ及び左縁部２２Ｌ，２３Ｌと第４層２４よりも幅狭の生地からなる第１層２１の右縁部２１Ｒ及び左縁部２１Ｌとをそれぞれ包み込むように重ね合わせた状態で生地端縁を圧着固定している。
【００２３】
これにより、１度の圧着工程でショーツ本体１４に対してクロッチ部２０の周縁部を接合することが可能となるうえ、経血や尿等に対する漏れを抑制することができる。
【００２４】
このように、サニタリーショーツ１０は、前身頃部１１、後身頃部１２、股下部１３を備え、伸縮性を有する身生地により構成されたショーツ本体１４と、前身頃部１１の上縁部１１Ｕと後身頃部１２の上縁部１２Ｕとによって形成される腰開口１５と、前身頃部１１の左縁部１１Ｌ及び右縁部１１Ｒと後身頃部１２の左縁部１２Ｌ及び右縁部１１Ｒとの接合部１９Ｆ．１９Ｂの下にそれぞれ形成する左・右一対の脚口１８Ｒ，１８Ｌと、を有し、股下部１３の少なくとも一部は、肌対向面側から肌対向面と反対側へ向かって、抗菌防臭機能を備えた第１層２１、吸水速乾機能を備えた第２層２２、吸水速乾機能を備えた第３層２３、防水機能を備えた第４層２４、身生地である第５層、の順に積層した５層構造によって構成されたクロッチ部２０を備えており、ショーツ本体１４は、縫製部を備えないシームレス構造として形成されている。
【００２５】
具体的に、ショーツ本体１４のうち、前身頃部１１の上縁部１１Ｕと後身頃部１２の上縁部１２Ｕ、及び、前身頃部１１の右縁部１１Ｒと後身頃部１２の右縁部１２Ｒ、並びに、前身頃部１１の左縁部１１Ｌと後身頃部１２の左縁部１２Ｌは、各生地端縁の折り返しによる接合部１９Ｆ，１９Ｂ，１６Ｒ，１６Ｌによって縫製部を備えないシームレス構造として形成されている。
【００２６】
このような構成のサニタリーショーツ１０は、５層構造のクロッチ部２０の各層機能により蒸れや臭いの発生を抑制することで快適性を向上し、無縫製により針穴からの経血や失禁による尿等の漏れを抑制し、縫い目の肌当たりもなく肌触りが良好であり、しかも、外観上で装着していることが露見しないなどの各種の機能性を向上し得て、非生理期である通常使用時のショーツに対する使用感との相違を小さくすることができる。
【００２７】
また、クロッチ部２０は、ショーツ本体１４に伸縮性を備えたポリエステルとポリウレタンとの混合生地（例えば、ポリエステル１００％、ポリウレタン５％）を用いた場合、第１層２１はポリエステル生地（例えば、ポリエステル１００％）に対して所定の制菌加工を施した素材により抗菌防臭機能を具備し、第２層２２及び第３層２３はポリエステル生地（例えば、ポリエステル１００％）に対して所定の親水性加工剤を塗布した素材により吸水速乾機能を具備し、第４層２４はポリエステル生地（例えば、ポリエステル１００％）に対して所定の防水フィルムをラミネート加工した素材により防水機能を具備している。
【００２８】
すなわち、第１層２１においては、ＪＩＳ規格  Ｌ  １９０２に基づき、臭いの原因となる黄色ブドウ球菌の繁殖を抑制して嫌な臭いを抑え清潔感を保つとともに、制菌加工で黄色ブドウ球菌と肺炎桿菌の抑制し、さわやかな肌触りを持続させることができる。
【００２９】
また、第２層２２及び第３層２３は、例えば染色工程の段階で親水性に優れた加工剤を生地に塗布することで吸収した水分が生地の表面で広がりやすくなり、吸水性と乾燥性を向上させることができる。なお、第２層２２と第３層２３とを同一素材とし、１枚目の吸水量をカバーする為にもう１層下にも同じ生地を重ねることで、吸水力をより一層向上させることができる。さらに、第２層２２及び第３層２３のうち、一方はリブ編み、他方はメッシュ編みの２層構造とすることで素早く吸収した水分を発散させやすい構造とすることができる。
【００３０】
第４層２４は、水滴は外に通さず湿気は布の外側に放出できる防水フィルムをラミネート加工することで気体となった湿気だけを外側に放出し得て、不快な蒸れを抑え、より快適な着心地を実現することができる。
【００３１】
なお、ここでのラミネート加工とは、身生地のショーツ本体１４と第４層２４とを貼り合わせて積層させる加工を意味し、最初から積層構造で材料を製造する場合は除外し、あくまでも別々に製造された材料（生地）を後から貼り合わせる場合の工程のみを含むものとする。
【００３２】
なお、以上の説明において、外観上の寸法や大きさが「同一（同じ）」「等しい」「異なる」等の記載がある場合は、当該記載は厳密な意味ではない。すなわち、それら「同一（同じ）」「等しい」「異なる」とは、設計上、製造上の公差、誤差が許容され、「実質的に同一（同じ）」「実質的に等しい」「実質的に異なる」という意味である。
【００３３】
また、以上既に述べた以外にも、上記実施形態や各変形例による手法を適宜組み合わせて利用しても良い。
【００３４】
例えば、上記実施の形態では、前身頃部１１、後身頃部１２、股下部１３を１枚の身生地であるショーツ本体１４で構成した場合で説明したが、前身頃部１１、後身頃部１２、股下部１３を別々の生地（素材は同一でもよい）で構成し、これらの各生地縁部を無縫製の圧着により接合してもよい。
【００３５】
その他、一々例示はしないが、本考案は、その趣旨を逸脱しない範囲内において、種々の変更が加えられて実施されるものである。
【符号の説明】
【００３６】
１０          サニタリーショーツ
１１          前身頃部
１１Ｕ      上縁部
１１Ｌ      左縁部
１１Ｒ      右縁部
１２          後身頃部
１２Ｕ      上縁部
１２Ｌ      左縁部
１２Ｒ      右縁部
１３          股下部
１４          ショーツ本体
１５          腰開口
１６Ｌ        接合部
１６Ｒ        接合部
１７Ｌ        左下縁部
１７Ｒ        右下縁部
１８Ｌ        左脚口
１８Ｒ        右脚口
１９Ｂ        接合部
１９Ｆ        接合部
２０          クロッチ部
２０Ｂ      後側接合部
２０Ｆ      前側接合部
２０Ｌ      左側接合部
２０Ｒ      右側接合部
２１          第１層
２１Ｌ      左縁部
２１Ｒ      右縁部
２２          第２層
２２Ｌ      左縁部
２２Ｒ      右縁部
２３          第３層
２３Ｌ      左縁部
２３Ｒ      右縁部
２４          第４層
２４Ｌ      左縁部
２４Ｒ      右縁部
Ｐ            身体
【図１】
0003234062.tif 000003
【図２】
0003234062.tif 000004
【図３】
0003234062.tif 000005
【図４】
0003234062.tif 000006
【図５】
0003234062.tif 000007